(57)【要約】【課題】遮光性やデザイン性に優れるとともに、容易に展開することができ、さらには自動的に筒体の状態に巻き戻すことができるシート体を提供すること。【解決手段】本発明のシート体は、第一シート体と第二シート体とを積層して形成されるシート体であって、該シート体は、前記第一シート体または第二シート体のいずれか一方を伸長して積層することを特徴とする。  また、前記第一シート体および第二シート体はポリエチレンテレフタラートにて形成されている。また、前記第一シート体または第二シート体に金属蒸着層、遮光フィルム、および印刷層を積層した。【選択図】図１
2014083842.tif 000002
【特許請求の範囲】
【請求項１】
第一シート体と第二シート体とを積層して形成されるシート体であって、該シート体は、前記第一シート体または第二シート体のいずれか一方を伸長して積層することを特徴とするシート体。
【請求項２】
前記第一シート体および第二シート体は、ポリエチレンテレフタラートにて形成されている請求項１記載のシート体。
【請求項３】
前記第一シート体または第二シート体に、金属蒸着層を積層した請求項１または２に記載のシート体。
【請求項４】
前記第一シート体または第二シート体に、遮光フィルムを積層した請求項１または２に記載のシート体。
【請求項５】
前記第一シート体または第二シート体に、印刷層を積層した請求項１乃至４のうちいずれか１項に記載のシート体。
【発明の詳細な説明】
【技術分野】
【０００１】  本発明は、優れた遮光性やデザイン性を有するとともに、展開後の巻回状態を維持することができるシート体に関する。
【背景技術】
【０００２】  通常、樹脂性のシートは気密性や防水性が高いため、幅広い分野で使用されている。また近日、建築物の窓には、レールに吊り下げられ、左右方向に開閉自在に装着されたシート状の遮光用カーテンが装着されている。【０００３】  また、上述の遮光用カーテンに関連する従来技術として、一般家庭、商業ホテル、船舶・車両などで使用される、軽量で、遮光院、遮熱性などに優れた遮光用カーテンがある（例えば特許文献１参照）。【０００４】  上掲特許文献１の遮光用カーテンは、二枚の布地の間に、金属薄膜が形成された合成樹脂フィルムを挟着してなることを特徴とする。
【先行技術文献】
【特許文献】
【０００５】
【特許文献１】特開平９−２５２９３１号公報（特許請求の範囲等）
【発明の概要】
【発明が解決しようとする課題】
【０００６】  しかしながら、上掲特許文献１の遮光用カーテンは、合成樹脂フィルムの金属薄膜によって光線および熱線の透過をほぼ完全に遮蔽することが開示されているが、保管や運搬の際は幾重かに折り畳むか筒状に巻回する必要があり、作業の手間がかかるという問題があった。また、ロールカーテンに使用する場合、筒状に巻回したカーテン生地を巻き戻す巻回装置等を備えなければならず、材料費や製造コストが高くなるという欠点もあった。【０００７】  そこで本発明の目的は上記問題点を解消して、遮光性やデザイン性に優れるとともに、容易に展開することができ、さらには自動的に筒体の状態に巻き戻すことができるシート体を提供することにある。
【課題を解決するための手段】
【０００８】  上記課題を解決するために、本発明のシート体は、第一シート体と第二シート体とを積層して形成されるシート体であって、該シート体は、前記第一シート体または第二シート体のいずれか一方を伸長して積層することを特徴とする。【０００９】  また、前記第一シート体および第二シート体はポリエチレンテレフタラートにて形成されている。【００１０】  また、前記第一シート体または第二シート体に金属蒸着層を積層した。【００１１】  また、前記第一シート体または第二シート体に遮光フィルムを積層した。【００１２】  さらに、前記第一シート体または第二シート体に印刷層を積層した。
【発明の効果】
【００１３】  本発明によるシート体は、第一シート体と第二シート体とを積層して形成されており、前記第一シート体または第二シート体のいずれか一方を伸長して積層して形成するため、通常、シート体は筒状に巻回された状態に維持されている。このシート体の先端を引くことで、容易に平板状に展開させることができ、さらにシート体の先端から手をはなすことで、元の筒状に巻回させることができる。【００１４】  また、前記第一シート体または第二シート体に金属蒸着層、遮光フィルム、印刷層を積層したことで、優れた遮光性やデザイン性を発揮させることができる。
【図面の簡単な説明】
【００１５】
【図１】本発明のシート体の全体斜視図である。
【図２】前記シート体の拡大断面図である。
【図３】シート体の製造状態を示す。
【図４】シート体の製造状態を示す。
【図５】本発明のシート体の使用方法を示す。
【図６】他の好適例、本発明のシート体の使用方法を示す。
【図７】他の好適例、本発明のシート体の拡大断面図である。
【図８】他の好適例、本発明のシート体の拡大断面図である。
【図９】他の好適例、本発明のシート体の拡大断面図である。
【図１０】他の好適例、本発明のシート体の拡大断面図である。
【発明を実施するための形態】
【００１６】  本発明のシート体は、遮光性やデザイン性に優れるとともに、容易に展開することができ、さらには自動的に筒体の状態に巻き戻すことができることを特徴とする。
以下、本発明におけるシート体の実施の形態を図１乃至図１０に基づいて説明する。
【００１７】  本発明のシート体１は、第一シート体１０と第二シート体２０とを積層して形成され、特に、前記シート体１は、前記第一シート体１０または第二シート体２０のいずれか一方を伸長して積層することを特徴とする。
【００１８】  第一シート体１０および第二シート体２０は透過性を有する合成樹脂性の可塑性素材からなり、それぞれは接着層２を介して接着されている。また第一シート体１０および第二シート体２０の厚みは特に限定されるものではなく、例えば０．０１２〜０．０５ｍｍ程度のシートが好適に使用される。
【００１９】  また特に、前記第一シート体１０および第二シート体２０はポリエチレンテレフタラートにて形成されている。ポリエチレンテレフタラート（ＰＥＴ）は無色透明であり、軽くて丈夫で柔軟性のある合成樹脂である。本発明のシート体１を構成する第一シート体１０および第二シート体２０をポリエチレンテレフタラート（ＰＥＴ）にて形成することで、コスト面、携帯性、収納面で高い利便性が得られる。
【００２０】  また特に、本発明のシート体１は、前記第一シート体１０または第二シート体２０のいずれか一方を伸長した状態で積層されている。例えば、図３の（ａ）に示すように、第一シート体１０を伸長した状態で、接着層２を介して第二シート体２０に積層しローラー３にて接着することで、（ｂ）に示すように、前記第一シート体１０が収縮し、シート体１が第一シート体１０側に湾曲した状態に形成される。
【００２１】  また図４の（ａ）に示すように、第二シート体２０を伸長させ、接着層２を介して第一シート体１０と積層してローラー３にて接着することで、（ｂ）に示すように、前記第二シート体２０が収縮し、シート体１が第二シート体２０側に湾曲される。
【００２２】  本発明のシート体１は上述の構造とすることで、図５の（ａ）に示すように、シート体１の先端より矢印Ａ方向に引くことで容易に展開状態とすることができる。なおこの際、シート体１は矢印ａ方向（逆戻り方向）に付勢された状態に維持されている。
【００２３】  また図５の（ｂ）に示すように、シート体１の引っ張り状態を解除すると、シート体１が矢印Ｂ方向に逆戻りし、元の円筒状態に維持される。そのことにより、動力や装置を必要とせず、ワンタッチでシート体１を巻き戻すことが可能となる。
【００２４】  また図６に示すように、２枚のシート体１，１´を逆方向に重ね合わせて円筒体を形成することで、上下、左右方向から展開することができ、幅広いシートを形成することもできる。また、それぞれのシート体１，１´の引っ張り状態を解除することで、ワンタッチで元の筒状体に戻すことができる。
【００２５】  また他の好適例として、図７に示すように、第一シート体１０または第二シート体２０に金属蒸着層４を積層することができる。金属蒸着層４は、第一シート体１０の内側面、または第二シート体２０の内側面に積層することができる。前記金属蒸着層４をシート体２に積層させたことで、優れた遮光性を得ることができる。
【００２６】  また他の好適例として、図８に示すように、第一シート体１０の外面、または第二シート体２０の外側に金属蒸着層４を積層してもよい。
【００２７】  また他の好適例として、前記金属蒸着層４に変えて、遮光性を有する遮光フィルム５を積層してもよい。遮光フィルム５は紫外線の入光を軽減するものであれば特に限定されるものでものではなく、例えば市販されている遮光フィルム等を用いることができる。
【００２８】  また他の好適例として、図９に示すように、前記第一シート体１０または第二シート体２０の内面（図中第一シート体１０の内側面）に印刷層６を積層してもよい。印刷層６は、前記第一シート体１０と金属蒸着層４との間に積層される。なおこの際、金属蒸着層４の内側面に透過性を有するシート部材７を積層することが好ましい。
【００２９】  また図１０に示すように、前記印刷層６は、第一シート体１０または第二シート体２０の内面（図中第一シート体１０の内側面）であって、シート部材７の間に積層されている。この際、シート部材７の内側には金属蒸着層４が積層される。なお、前記印刷層６は、凹版印刷やシルク印刷等によりシート面に印刷される。
【００３０】  上述の構成により、本発明によるシート体１は、通常は筒状に巻回された状態に維持されており、シート体１の先端を引くことで、容易に平板状に展開させることができ、さらにシート体１の先端から手をはなすことで、元の筒状に巻回されることができる。
【００３１】  また、前記第一シート体１０または第二シート体２０に金属蒸着層４、遮光フィルム５、印刷層６を積層したことで、優れた遮光性とともに、デザイン性やファッション性を高めることができる。
【符号の説明】
【００３２】１    シート体
２    接着層
３    ローラー
４    金属蒸着層
５    印刷層
６    遮光フィルム
７    シート部材
Ａ    展開方向矢印
Ｂ    後戻り方向矢印
【図１】
2014083842.tif 000003
【図２】
2014083842.tif 000004
【図３】
2014083842.tif 000005
【図４】
2014083842.tif 000006
【図５】
2014083842.tif 000007
【図６】
2014083842.tif 000008
【図７】
2014083842.tif 000009
【図８】
2014083842.tif 000010
【図９】
2014083842.tif 000011
【図１０】
2014083842.tif 000012